(57)【要約】【課題】墓の特に花立てを衛生的に保存でき、墓地の清潔さを確保できると共に線香立て、ろうそく立て、清掃用具入れ又はお供え物入れとしても利用可能な蓋体を装着した蓋付き墓用花立てを提供すること。【解決手段】蓋体と花立て本体とからなる蓋付き花立てであって、前記蓋体は開口部を有するカップ状であり、その内底面にろうそく立て部又は線香立て部を有する、蓋付き墓用花立てである。【選択図】　図２
2004060387.tif 000002
【特許請求の範囲】
【請求項１】
蓋体と花立て本体とからなる蓋付き花立てであって、前記蓋体は開口部を有するカップ状であり、その内底面にろうそく立て部又は線香立て部を有することを特徴とする蓋付き墓用花立て。
【請求項２】
前記蓋体は、上蓋と下蓋とからなり、前記上蓋の開口部は花立て本体上部に当接可能であり、前記下蓋の開口部は花立て本体下部に当接可能であることを特徴とする請求項１に記載の蓋付き墓用花立て。
【請求項３】
前記蓋体は、取手部を有していることを特徴とする請求項１に記載の蓋付き墓用花立て。
【請求項４】
前記蓋体および花立て本体の材質は、御影石、大理石、ガラス、強化プラスチック、金属のいずれか一又は二以上の組合せからなることを特徴とする請求項１乃至３のいずれかに記載の蓋付き墓用花立て。
【請求項５】
前記蓋体と花立て本体の形状は、円柱状、多角柱状のいずれかであることを特徴とする請求項１乃至４のいずれかに記載の蓋付き墓用花立て。
【請求項６】
前記ろうそく立て部及び／又は線香立て部は、蓋体から取り外し可能であることを特徴とする請求項１乃至５のいずれかに記載の蓋つき墓用花立て。
【請求項７】
前記蓋体は、墓の清掃用具又は墓のお供え物入れとして利用可能であることを特徴とする請求項１乃至６のいずれかに記載の蓋付き墓用花立て。
【発明の詳細な説明】
【０００１】
【発明の属する技術分野】
本発明は、線香立て、ろうそく立て、清掃用具入れ又はお供え物入れとしても利用可能な蓋体を装着した蓋付き墓用花立てに関する。
【０００２】
【従来の技術】
従来から、墓参、お地蔵さん等にお参りする際には、墓等に備え付けられた花立てを利用して花を供えることが慣習となっている。かかる花立ては、墓石自体に又は墓石の前に配置され、供えた花がすぐに枯れないように水を溜め込むことができるような構造となっているが、蓋が設けられていないのが一般である。墓参者は、墓参の際に花立て等墓を清掃し、花立てに水を満たして花や木を供え、お参りして帰宅することになるが、花や木は１週間前後で枯れ、満たされた水は腐敗する事態に至る。
【０００３】
このように墓参した直後の花立て、供えられた花等は美しく清潔であるが、一定期間経過後は、屋外の墓に設けられた花立てには埃や木の葉が混入し、供えられた花や花立て内に溜め込まれた水が腐敗する。その結果、悪臭を発したり、蚊が卵を産み付けてボウフラが発生し易い環境をつくり、蚊の多数発生に繋がり、衛生的でないという問題があった。
【０００４】
特に屋外の墓に設けられた花立ては、年に数回の利用がなされるに過ぎないものであるため、墓に常設されている花立てを小まめに清掃する機会が少ないことも原因となっている。また枯れた花は墓の周囲を汚すことになり、極めて清潔面で好ましくない状況をつくっているのが現状である。また、今日においては、墓地は公園墓地等にみられるように墓参者のみならず一般の花見や散歩等に供されており、墓地の清潔さの確保は社会的要求ともなっている。
【０００５】
かかる問題を解決するために、花立てに蓋を設けることが考えられるが、単に蓋を設けたのみでは、その蓋を取り外して花立てを利用している間、その蓋自体の存在が邪魔になる等の問題が生じる。
【０００６】
また、墓参の際には、墓石及びその周辺を清掃することも慣習となっているが、墓参者はこのような清掃のために必要な清掃用具をわざわざ持参しなければならならず不便であった。
【０００７】
【発明が解決しようとする課題】
本発明は上記事情に鑑みなされたものであり、墓の特に花立てを衛生的に保存でき、墓地の清潔さを確保できると共に線香立て、ろうそく立て、清掃用具入れ又はお供え物入れとしても利用可能な蓋体を装着した蓋付き墓用花立てを提供することを課題とする。
【０００８】
【課題を解決するための手段】
本発明の課題は、蓋体２０２、２０３と花立て本体２０１とからなる蓋付き花立てであって、前記蓋体は開口部を有するカップ状であり、その内底面にろうそく立て部２０７又は線香立て部２０６を有する蓋付き墓用花立てによって解決される。
【０００９】
本発明の前記蓋体は、上蓋１０２と下蓋１０３とからなり、前記上蓋の開口部は花立て本体上部に当接可能であり、前記下蓋の開口部は花立て本体下部に当接可能に構成されている。この場合、本発明にかかる蓋付き墓用花立て全体が安定するように、には花立て本体上部の周縁部には上蓋の下部周縁部が嵌合するように切り欠き部が形成されている。突起部が形成されており、花立て本体底面周縁部にも同様に下蓋の上部周縁部が嵌合するように切り欠き部が形成されている。
【００１０】
本発明の前記蓋体は、上蓋の取り外し及び装着の際の便宜を考慮して取手部を備えている。この取手部の形状、取り付け位置、取り付け方法は種々採用できるが、上蓋の半円端部の一部をＵ字型状に切り抜き、切り抜いた部分にステンレス等の半円形状の長尺部材を上蓋に対して摺動可能に取り付けることができる。
【００１１】
また、本発明の前記蓋体および花立て本体の材質としては、御影石、大理石、ガラス、強化プラスチック、金属等を採用することができ、またこれらのいずれかを組合せたものであってもよい。本発明の前記蓋体と花立て本体の形状としては、円柱状、多角柱状のいずれでもよい。なお、蓋体及び本体の材質、形状はこれらに限定されるものではなく各種採用可能であり、またそれらの色彩も任意に選定できる。
【００１２】
さらに、本発明の前記蓋体の内底面に配設されるろうそく立て部又は線香立て部は、蓋体の内底面に対して着脱自在に構成することができる。このようにろうそく立て部又は線香立て部を取り外した状態にした蓋体は、墓の清掃用具又は墓のお供え物入れとして利用する場合に都合がよい。
【００１３】
なお、蓋体と花立て本体との組み合わせは、上蓋と花立て本体とによる構成、上蓋と花立て本体と下蓋の構成であってもよい。つまり二段構成にするか三段構成にするかは任意である。
【００１４】
このような本発明にかかる蓋付き墓用花立てによれば、花立てを長期に亘って衛生的に保存でき、また墓地の清潔さを確保することが可能となる。さらに蓋体を線香立て、ろうそく立て、清掃用具入れ又はお供え物入れとしても利用可能となり、墓参者の便に供することになる。
【００１５】
【発明の実施の形態】
次に、添付図を参照しながら本発明の実施の形態の一例について詳細に説明する。本発明にかかる蓋付き墓用花立て全体の構造を図１、２を参照して説明する。図１、２は本実施形態の全体の構成及び各構成の一例を示す図である。
【００１６】
図１に示すとおり、本実施の形態にかかる蓋付き墓用花立ては、花収容部１０５を有する花立て本体１０１、上蓋体１０２、下蓋体１０３とから構成される。花立て本体１０１を中心として上蓋１０２と下蓋１０３で花立本体１０１の上下をサンドイッチ状にする構成となっている。つまり、上蓋の開口部は、花立て本体上部に当接可能であり、下蓋の開口部は花立て本体下部に当接可能となっている。また、上蓋１０２は花立て本体１０１に設けられた花収容口１０４を塞ぐ構造となっている。
【００１７】
また、図２示すように、花立て本体２０１、上蓋２０２、底蓋２０３のそれぞれを分解した際には、それぞれ花立て本体２０１は花を飾ることができる台として、また上蓋２０２、下蓋２０３はろうそく又は線香を立てる台として機能する。具体的には、同図に示すように、上蓋２０２はその内底面にろうそくを立てるためのろうそく立て部２０７を有し、下蓋２０３はその内底面に線香を立てるための線香立て部２０６を有するように構成する。なお、上蓋２０２が線香立部２０６を有し、底蓋２０３がろうそく立部２０７を有するように構成してもよい。
【００１８】
本実施の形態では、屋外の墓に供えることが多い花立て・線香立て・ろうそく立てに利用できるように、花立て本体２０１を花を立てるものとして、また、上蓋２０２、下蓋２０３をろうそく又は線香を立てるものとしての構成を例示したが、本実施の形態にかかる蓋付き花立てはこれに限定されるものではなく、蓋体を例えば、たわしや雑巾等の墓の清掃用具、お供え物のお菓子等のように墓にお供えするものを収容する清掃用具入れ、お供え物入れ等として広く利用することができる。
【００１９】
上述のとおり、花収容部２０５の花収容口２０４を塞ぐための蓋を花立て本体とは別に設ける場合は、花立て本体の利用時にその蓋が邪魔になるという問題があるが、本実施の形態にかかる蓋付き花立てはこのような問題点を解消している。また、花立てが設置されていることが少ない洋式の墓における本実施の形態にかかる蓋付き花立ての利用は更に便利である（図４参照）。なお、本実施の形態にかかる蓋付き花立ては、屋外の墓のみに利用されるものではなく屋内の墓に利用し、また、仏壇に供える花等の花立等として利用してもよく、更には神社、寺院、お地蔵さん等の宗教用具又は祭礼用具としても利用することができる。
【００２０】
次に、本発明にかかる蓋付き墓用花立ての各構成の構造・材質・形状等について図２等を参照して詳しく述べる。花立て本体２０１は、墓に供える花や草木を立てるためのいわゆる花や草木の容器である。花立て本体２０１の材質は、御影石、大理石、ガラス、強化プラスチック、金属のいずれか一又は二以上を組合せたものとすることができる。花立て本体は、墓地等の野外に設置されること多いため、雨風等によって劣化しないように、かつ、花を立てたときに風等の影響によって間単に倒れることがないように強度があって、かつある程度の重量のある材質であることが必要となる。
【００２１】
また、花立て本体の形状は、円柱状、多角柱形状等により構成される。さらに、花を立てて支えるための上部に開放された花収容口１０４を形成した花収納部２０５を備えている。なお、本発明の花立て本体の表面には、家紋、家名、図柄等を刻印、印刷することができる。
【００２２】
図５は本実施の形態にかかる蓋付き花立ての断面を示す図である。同図に示すように、花立て本体５０１の上蓋５０２、下蓋５０３との接触部の構造は、段差構造となっている。これは、上蓋５０２、下蓋５０３を花立て本体５０１と組み合わせたときに、上蓋５０２、下蓋５０３が花立て本体５０１から脱落しにくくして全体を安定させるための構造である。
【００２３】
この場合、後述するように、上蓋５０２、下蓋５０３の花立て本体５０１との接触部の構造も、花立て本体と嵌合するような構造となっている。また、双方の接触面を互いに嵌合するねじ構造とすることもできる。しかし、本実施の形態はこれらに限定されず、上蓋５０２、下蓋５０３が花立て本体５０１から脱落しないように嵌合させることができるような構造であればどのような構造であってもよい。
【００２４】
また、図３に示すように、花立て本体３０１の底面に段差構造を設けることで、例えば、本実施の形態にかかる蓋付き花立てを屋外の墓で利用する場合は、墓に設けられた窪みに嵌合させることで、墓石からの落下防止等にも役立つ。また、このように、花立て本体５０１と上蓋５０２、底蓋５０３の双方が脱落しにくい構造で嵌合できれば持ち運び等に便利となる。
【００２５】
なお、花収納部５０５は、花立て本体５０１とは別に構成され、花立て本体に嵌合されるものであってもよい。この場合花立て本体を筒状に形成し、その筒の中に前記花収納部５０５を嵌合させるものであってもよい。
【００２６】
本実施の形態にかかる蓋付き花立てを構成する蓋体には、上述のとおり、上蓋５０２、下蓋５０３の２つの蓋がある。上蓋５０２は、花立て本体５０１の前記花収納部５０５にゴミ等が入らないようにするために花収容口５０４を塞ぐ蓋である。上述のとおり、上蓋５０２は花立て本体上部に当接可能であり、また下蓋５０３は花立て本体下部に当接可能である。また、上蓋を花立て本体下部に当接可能とし、また下蓋を花立て本体上部に当接可能とするものであってもよい。
【００２７】
上蓋５０２、下蓋５０３のそれぞれは、カップ形状となっていて、花立て本体５０１の蓋として機能する。また、これらの蓋体は、線香立て部５０６又はろうそく立て部５０７をその内底面に有するため、線香立てやろうそく立てとして機能する。墓参の際には、このような蓋体は、図３、４に示されるように花立て本体と同時に使用でき、単独で使用することもできる
【００２８】
上述のとおり、花立て本体５０１に単に蓋を設ける場合は、花立て本体５０１の利用時には蓋が邪魔となってしまうという問題があるが、本実施の形態にかかる蓋付き花立てでは、蓋がそのまま墓に供えられることが多い線香立て又はろうそく立てにも利用できることから、蓋の存在が邪魔になるものてはなく便利なものとなる。
【００２９】
また、上記線香立て部及びろうそく立て部は、共に蓋体から取り外し可能な構造とすればさらに便利である。例えば、線香立て部５０６の上蓋５０２との接合部分をばね構造として上蓋に圧入する構造やねじ込み構造とすることが考えられる。また、同様に、ろうそく立て部５０７の下蓋５０３との接合部分をばね構造として下蓋に圧入する構造やねじ込み構造とすることが考えられる。なお、線香立て部５０６を下蓋５０３に接合し、ろうそく立て部５０７を上蓋５０２に接合するように構成してもよい。
【００３０】
上述のとおり、上蓋・下蓋は、カップ形状となっていることから、当該線香立て部・ろうそく立て部が取り外し可能となれば（図６（ａ）参照）、当該カップ状の蓋体に物を収納することができる。例えば、墓の清掃用具入れとして利用し、また墓前へのお供え物入れとして利用することが考えられる（図６（ｂ）、同図（ｃ）参照）。なお、当該線香立て部・ろうそく立て部が接合された状態であっもこのような利用に供することができる。
【００３１】
蓋体に物を収納することができるようにすることに関して、同様の概念に基づく実用新案登録（登録第３００３９４３号）が存在する。しかし、当該登録実用新案は、墓参り用品を持ち運び可能なケースに効率的に収納することを目的とし、ケースとしての利用のみに価値を有する。一方、本発明の蓋付き墓用花立ての蓋体は、上述のとおり、花立て本体にゴミ等が混入することを防止する蓋として、また、線香立て・ろうそく立てとして利用することが可能であり利用用途が広くなるという利点を有するものである。
【００３２】
上蓋２０２、下蓋２０３の材質は、前記花立て本体２０１と同様に御影石、大理石、ガラス、強化プラスチック、金属のいずれか又はこれらの組み合せとすることができる。本実施の形態にかかる蓋付き花立ては墓地等の野外に設置されることがあるため、雨風等によって劣化しにくく、かつ、線香・ろうそくを立てたときに風等の影響によって間単に倒れることがないように強度があって、かつ、ある程度の重量のある材質であることが必要だからである。また、上蓋２０２、下蓋２０３の形状は、前記花立て本体２０１と同様に円柱状、多角柱形状等任意に選定できる。
【００３３】
図７、８、９は、本実施の形態にかかる蓋付き花立ての上蓋に取手部を設けて、容易に花立て本体から取り外し可能とする場合の概念の一例を示す図である。図９に示すように、上蓋に取手部を設けることにより比較的重量がある上蓋を花立て本体から容易に取り外したり、装着する（嵌め合わせる）ことができる。なお、上蓋及び底蓋を花立て本体に嵌合させて持ち運ぶ場合には、上蓋・花立て本体・下蓋が離脱しないように、例えば３者を袋に収容して、上蓋の取手部を掴むことができる。これにより一層持ち運びも容易となる。
【００３４】
図７は、上述のように上蓋に取手部を設ける場合の、取手部の構造の一例を示す図である。同図（ａ）は取手部を設けた上蓋の断面図であり、同図（ｂ）は取手部を設けた上蓋の上面図であり、同図（ｃ）は取手部を設けた上蓋の斜視図である。同図（ａ）（ｂ）（ｃ）に示すように、上蓋に取手部を設ける構造の一例としては、上蓋の半円端部の一部を同図に示すようにＵ字型状に切り抜き、切り抜いた部分にステンレス等の半円形状の長尺部材を上蓋に対して摺動可能に取り付けることができる。取手部をこのような構造とすることにより、不使用時は取手部を上蓋に収納できるという利点がある。また、上蓋を線香立て又はろうそく立として使用する際には、底部が平坦となり安定性を得ることができる。
【００３５】
図８は、取手部の構造の他の例を示す図である。同図（ａ）（ｂ）（ｃ）に示すように、上蓋に取手部を設ける構造の他の例としては、上蓋の半円部の一部を同図に示すようにＵ字型状に切り抜き、切り抜いた部分にステンレス等の半円形状の長尺部材を上蓋に対して摺動可能に取り付けることができる。この場合は、同図（ａ）に示すように、取手部の一部に突起部を設けることにより取手部を上蓋から取り出し易いようにすることができる。
【００３６】
図９は、取手部の構造の更に他の例を示す図である。同図（ａ）に示すように、上蓋に設ける取手部の構造として、上蓋の側周面の対角二箇所に、Ｕ字型の取手部を上蓋に対して摺動可能に取り付けることができる。また、同図（ｂ）に示すように、上蓋の上面の一部を半円型に切り抜き、切り抜いた部分の一辺を上蓋に摺動可能に取り付けることもできる。この場合、当該切抜いた部分を起こすことにより生じるスペースに手を入れて持ち運ぶことができる。取手部が同図（ａ）、（ｂ）いずれに示す構造であっても、上述同様、上蓋を線香立又はろうそく立として使用する際に邪魔にはならない。
【００３７】
【発明の効果】
以上説明したような本発明にかかる蓋付き墓用花立てによれば、花立て本体の花収納部に雨水、埃等が溜まることを確実に防止し、花立てを小まめに清掃できない場合でも花立てを衛生的に保つことができ、また墓地の清潔さを確保できる。
【００３８】
上記効果を得るために利用される本発明にかかる蓋体は、同時に線香立て又はろうそく立て、清掃具等の収納容器としても利用することができ、墓参時に有用なものとして機能する。また、上蓋を花立て本体から容易に取り外すことができ、花立て本体に容易に被せることができる。さらに、上蓋・花立て本体・下蓋を全体として持ち運び易くなっている。
【図面の簡単な説明】
【図１】本発明にかかる蓋付き墓用花立ての全体の構成及び各構成を示す内部断面及び斜視図である。
【図２】本発明にかかる蓋付き墓用花立ての使用例及び全体の構成並びに各構成を説明する図である。
【図３】本発明にかかる蓋付き墓用花立てを一般的和式墓で使用する場合の一例を示す図である。
【図４】本発明にかかる蓋付き墓用花立てを一般的洋式墓で使用する場合の一例を示す図である。
【図５】本発明にかかる蓋付き墓用花立ての全体の構成及び各構成を示す断面図である。
【図６】本発明にかかる蓋付き墓用花立ての蓋体を物の収容容器として利用する場合の実施の形態を示す図である。
【図７】本発明にかかる蓋付き墓用花立ての上蓋に取り付ける取手部の構成例を示す図である。
【図８】本発明にかかる蓋付き墓用花立ての上蓋に取り付ける取手部の他の構成例を示す図である。
【図９】本発明にかかる蓋付き墓用花立ての上蓋に取り付ける取手部の更に他の構成の例を示す図である。
【符号の説明】
１０１、２０１、３０１、５０１、６０１　花立て本体
１０２、２０２、３０２、５０２、６０２　上蓋（蓋体）
１０３、２０３、３０３、５０３、６０３　下蓋（蓋体）
１０４、２０４、５０４　花収納口
１０５、２０５、５０５　花収納部
２０６、５０６　　　　　線香立て部
２０７、５０７　　　　　ろうそく立て部
【図１】
2004060387.tif 000003
【図２】
2004060387.tif 000004
【図３】
2004060387.tif 000005
【図４】
2004060387.tif 000006
【図５】
2004060387.tif 000007
【図６】
2004060387.tif 000008
【図７】
2004060387.tif 000009
【図８】
2004060387.tif 000010
【図９】
2004060387.tif 000011